(57)【特許請求の範囲】
【請求項１】
台座に嵌合し、該台座の前面及び周面を実質的に覆い隠すコ字状断面の枠体構造の台座カバーであって、該台座カバーの上部側の側枠の内側面が開口側に向けて開口が狭くなるテーパー状に形成され、該台座カバーの下部側の側枠の内側面が開口側に向けて開口が広くなるテーパー状に形成され、該台座カバーの下部側の側枠に、台座の係合突起と係合する切り欠き状の凹部が形成されてなることを特徴とする台座カバー。
【請求項２】
前記台座カバーの形状が、正面視で円形状又は矩形状であることを特徴とする請求項１記載の台座カバー。
【請求項３】
ドア用ハンドルの台座カバーであって、枠体の中央部にハンドル軸が通る貫通穴が形成されていることを特徴とする請求項１又は２に記載の台座カバー。
【請求項４】
固定型板、該固定型板と空隙を介して対向する位置にある可動型板及びスライドコアーを備えた成形用金型から製造されるものであって、該固定型板は、傾斜状の天部及び該固定型板の水平部と鉛直な側部を有する凸状部を有し、該可動型板は、該傾斜状の天部と同じ傾斜の傾斜底面及び該傾斜底面から直角に延出する第１傾斜側面からなる凹状部を有し、該スライドコアーは、該第１傾斜側面に平行な第２傾斜側面と該第２傾斜側面の下部に形成された突部を有することを特徴とする請求項１記載の台座カバー。
【請求項５】
請求項１〜４の台座カバーが取り付けられる台座であって、前記台座カバーの枠体内に収容される台座本体部と、該台座本体部の下端から下方へ突出する台座カバーの凹部と係合する係合突起と、該台座本体部の上部側の側面で、台座カバーの正面側近傍に形成される突出部とを備えることを特徴とする台座。
【請求項６】
請求項１〜４の台座カバーと、
前記台座カバーの枠体内に収容される台座本体部と、該台座本体部の下端から下方へ突出する台座カバーの凹部と係合する係合突起と、該台座本体部の上部側の側面で、台座カバーの正面側近傍に形成される突出部とを備える台座とからなる台座構造体。
【発明の詳細な説明】
【技術分野】
【０００１】
本発明は、金型成形において簡易な工程で製造できる、例えばドアー用ハンドルに好適な台座カバー、台座及び台座構造体に関するものである。
【背景技術】
【０００２】
従来のドア用ハンドルの取り付け構造体は、その一例を図２４に示すように、ドア１０６の一方の外側面に配置されるボス１０４を備えた円板状の第１の台座１０１と、台座１０１と対応してドア１０６の他方の外側面に配置される第２の台座１０２と、第２の台座１０２のビス挿通孔１２２を経てボス１０４のビス螺合用螺子孔に螺合され第１の台座１０１と第２の台座１０２とを一体に連結する２つのビス１０３と、一方が台座本体１０１の外側面に配置され他方が第２の台座１０２の外側面に配置され台座本体１０１及び第２の台座１０２の各ハンドル取り付け孔１１２、１２１を経て互いに連結された不図示の一対のドア用ハンドルと、台座１０１、１０２の前面及び周面を実質的に覆い隠す台座カバー１０８（図中、台座１０２の台座カバーは不図示）を備えるものである。
【０００３】
台座カバー１０８は、組み付けの容易さから、台座１０１、１０２にワンタッチで嵌合できることが要求され、また長期間の使用において台座１０１、１０２から外れ難い、強い嵌め合いが要求される。このような要求を満足する台座１０１、１０２と台座カバー１０８は、金型成形品が多数を占めるようになっている。
【０００４】
従来の台座カバーと台座の嵌め合い形態を図２５及び図２６を参照して説明する。図２５は（Ａ）は台座カバーの縦断面図、（Ｂ）は台座に台座カバーが嵌め込まれた状態の縦断面図を示し、図２６は他の形態における台座カバーの縦断面図を示す。図２５（Ｂ）において、台座２０２の周面２０６には、周方向に長く円周状又は一部円周状の突出部２０５が形成され、枠体状の台座カバー２０１の側枠２０７の内側面２０８には、台座２０２の突出部２０５が嵌り込む凹部２０４が形成されている。なお、符号２０３はハンドル軸が通る穴である。また、図２６の台座カバー２０１ａには、台座２０２の突出部２０５が嵌り込む段差２０９が形成されている。このような嵌め合い形態であれば、台座２０２に台座カバー２０１を嵌め込む際、手で押し込むことで容易に嵌るものの、一旦嵌め込まれると容易には外れない嵌め合い強度を有するため、大変都合がよい。
【特許文献１】特開２００２−１２９７９６号公報
【発明の開示】
【発明が解決しようとする課題】
【０００５】
しかしながら、従来の台座カバー２０１の側枠２０７の内側面２０８に、凹部２０４や段差２０９を形成するには、金型成形の際、スライドコアーを複数個使用するため、成形コストが上昇する。また、凹部２０４や段差２０９は、金型成形後、更に切削工程を行なうことで形成することもできるものの、切削工程を必要とするため、やはり製造コストを上昇させるという問題があった。
【０００６】
従って、本発明の目的は、金型成形の際、スライドコアーを複数個使用することなく、製造コストの上昇を抑制することができる台座カバー、台座及び台座構造体を提供することにある。
【課題を解決するための手段】
【０００７】
すなわち、本発明は、上記従来の課題を解決したものであって、台座に嵌合し、該台座の前面及び周面を実質的に覆い隠すコ字状断面の枠体構造の台座カバーであって、該台座カバーの上部側の側枠の内側面が開口側に向けて開口が狭くなるテーパー状に形成され、該台座カバーの下部側の側枠の内側面が開口側に向けて開口が広くなるテーパー状に形成され、該台座カバーの下部側の側枠に、台座の係合突起と係合する切り欠き状の凹部が形成されてなる台座カバーを提供するものである。
【０００８】
また、本発明は、固定型板、該固定型板と空隙を介して対向する位置にある可動型板及びスライドコアーを備えた成形用金型から製造され、該固定型板は、傾斜状の天部及び該固定型板の水平部と鉛直な側部を有する凸状部を有し、該可動型板は、該傾斜状の天部と同じ傾斜の傾斜底面及び該傾斜底面から直角に延出する第１傾斜側面からなる凹状部を有し、該スライドコアーは、該第１傾斜側面に平行な第２傾斜側面と該第２傾斜側面の下部に形成された突部を有する前記台座カバーを提供するものである。
【０００９】
また、本発明は、前記台座カバーが取り付けられる台座であって、前記台座カバーの枠体内に収容される台座本体部と、該台座本体部の下端から下方へ突出する前記台座カバーの凹部と係合する係合突起と、該台座本体部の上部側の側面であって、且つ台座カバーの正面側近傍に形成される突出部とを備える台座を提供するものである。
【００１０】
また、本発明は、前記台座カバーと、前記台座カバーの枠体内に収容される台座本体部と、該台座本体部の下方部から下方へ突出する前記台座カバーの凹部と係合する係合突起と、該台座本体部の上部側の側面であって、且つ台座カバーの正面側近傍に形成される突出部とを備える台座とからなる台座構造体を提供するものである。
【発明の効果】
【００１１】
本発明の台座構造体は、台座カバーの側枠（上部側）の奥傾斜の内側面に台座の突出部が入り込んでいるため、当該上部側が外れることを防止する。また、台座カバーの凹部と台座の係合突起が係合するため、当該下部側が外れることを防止する。また、台座への台座カバーの嵌め込みも行い易い。また、台座カバーの枠体内の内側面の特殊な形状は、特定形状の凸状部を有する固定型板と凹状部を有する可動型板との簡易な組み合わせで達成できるため、製造コストの上昇を抑制する。
【発明を実施するための最良の形態】
【００１２】
本発明の第１の実施の形態における台座を図１〜図４を参照して説明する。図１は本例の台座カバーの正面図、図２は図１の背面図、図３(Ａ)は図２のＡ-Ａ線に沿って見た図、（Ｂ）は図２のＢ-Ｂ線に沿って見た図、図４（Ａ）は図２のＣ-Ｃ線に沿って見た図、（Ｂ）は図１の底面図である。台座カバー１０は、金属製又はプラスチック製であり、台座に嵌合し、台座の前面及び周面を実質的に覆い隠すコ字状断面であって、中央部にハンドル軸が通るハンドル取り付け穴２を有する正面視が矩形状の枠体構造１である。すなわち、台座カバー１０は天板１１と、天板１１から後方へ延びる上部側の側枠１２と、左右側の側枠１４と、下部側の側枠１３の四方の壁状体とからなる。なお、本発明において、台座構造体の使用状態において、切り欠き状の凹部が通常下方に位置することから、切り欠き状の凹部がある側枠を下方（下部）とし、その反対側を上方（上部）としたものである。
【００１３】
台座カバー１０は、台座カバー１０の側枠１２（上部側）の内側面１２１が開口側Ｘに向けて開口が狭くなるテーパー状に形成され（図３（Ａ）参照）、台座カバー１０の側枠１３（下部側）の内側面１３１が開口側Ｘに向けて開口が広くなるテーパー状に形成され（図３（Ａ）参照）、台座カバー１０の下部側の側枠１３に、台座の係合突起と係合する切り欠き状の凹部３が形成されてなるものである。台座カバー１０の側枠１２を上記のような奥テーパー状とすることにより、台座の突出部が奥の空間部に入り込み、台座カバー１０から振動等では外れないようになる。一方、台座カバー１０の側枠１３が上記のような先端テーパー状となるのは、金型成形の際、可動型板が抜ける必要があるためであるが、かかる側枠１３には、台座カバー１０の凹部３と台座２０の係合突起２４との強い嵌合ができるため、当該先端形状に伴う隙間２９の発生は嵌合状態に影響しない（図１１参照）。
【００１４】
なお、左右の側枠１４、１４は、天板１１から鉛直に延びている（図４（Ｃ）参照）。台座カバー１０の枠体内は、台座本体部が収容される空間である。台座カバー１０において、切り欠き状の凹部３が形成される側枠１３と対向する側枠１２の内側面１３１を開口側Ｘに向けて開口が狭くなる、すなわち、側枠１２の開口側Ｘが内側に傾斜するテーパー状にすることで、当該側枠１２の内側面１２１が台座から台座カバー１０が外れる規制面となり、また、切り欠き状の凹部３に台座の突出部が強く嵌るため、上下の端部で台座カバー１０を固定することになり、台座から台座カバー１０が脱落することを防止する。
【００１５】
切り欠き状の凹部３は、台座の突出部が嵌り込む部分であり、その形状としては、特に制限されないが、本例では開口部分が広く、中へ行くにつれ狭くなり、更に中に行くにつれ広くなる、いわゆるくびれ構造である。これにより、台座の突出部は凹部３に挿入され、更に手で強く押し込まれると、変形して該くびれ部を乗り越え、凹部３と強く嵌合し、その後は容易には外れない嵌合形態を採ることができる。
【００１６】
次ぎに、本例の台座を図５〜図９を参照して説明する。図５は本例の台座の斜視図、図６は本例の台座の正面図、図７は図６の台座の背面図、図８は図６の台座の底面図、図９は図６の台座の平面図である。台座２０は、プラスチック製であって、前述の台座カバー１０に嵌る形状である。すなわち、台座２０は、四隅に斜め外側に突出する板状の突起２２を有する台座本体部２１と、台座本体部２１の下端から下方へ突出する台座カバーの凹部と係合する係合突起２４と、台座本体部２１の上部側の側面２６で、台座カバーの正面側近傍、すなわち、図５中、上部側の側面２６の厚み方向の奥側（図５では手前側）に形成される突出部２３（図９参照）を有する。なお、本発明の台座２０において、四隅の板状の突起２２は任意の構成要素である。
【００１７】
係合突起２４の形状は、特に制限されないが、本例ではコ字形状である（図８参照）。係合突起２４の形状をコ字形状とすることにより、両側から挟持された際、弾性変形し易く、台座カバー１０の凹部に嵌り易く、また一旦嵌め込まれた後は、抜け難い嵌合状態が得られる。
【００１８】
突出部２３は、台座カバー１０の側枠１２（上部側）の内側面１２１の奥側（底部）の空間３０１に入り込み、台座カバー１０が台座２０から外れることを防止するため、当該空間３０１に収まる高さを有する（図１３参照）。また、突出部２３の長さ（ｌ）は、最大で、台座本体部２１の上部側の側面２６の長さ（Ｌ）と同じ程度の長さであってもよいが、台座本体部２１の上部側の側面２６の長さ（Ｌ）の１/５〜１/２程度とすることが、外れる方向に外力が作用しても、上部側の側枠１２の内側面１２１と適度な摩擦力が作用し、外れ難くなる点で好ましい。突出部２３は、上記長手部を有するものの他、長手方向に点状物が点在するものであってもよい。なお、突出部２３はひとつの点状物であってもよいが、台座２０から台座カバー１０が外れ易くなる。
【００１９】
台座本体部２１の中央の穴２５５は、ハンドル軸が通るハンドル取り付け用の穴である。また、台座２０にはビス挿通孔（あるいは頭付きボス取り付け孔）２７が一対形成されている。台座本体部２１の四隅にきられた貫通孔２１２は、肉抜きであると同時に寸法調整機能もある。すなわち、台座２０に台座カバー１０を取り付けた際、四隅の板状の突起２２で形成される寸法が台座カバー１０の内側寸法より少々大きすぎた場合であっても、当該貫通孔２１２と板状の突起２２間は薄肉であるため、弾性により変形可能であり、台座２０に台座カバー１０の取り付けが可能となる。また、台座本体部２１の中央部の円筒状の段差２１３は、サムターンの摘みの裏面部が嵌り込む部分である。また、ビス挿入孔２７を通る円周上に形成される貫通孔２１４は肉抜きである。また、符号２１５の切り欠き部はサムターンの摘みの裏面部の突部が嵌り込む部分である。また、台座本体部２１のハンドル取り付け用の穴２５５周りに形成された弾発性の４つの突片２１６は、サムターンの軸に嵌る部材である。なお、本発明において、四隅にきられた貫通孔２１２、円筒状の段差２１３、円筒状の段差部に形成される貫通孔２１４、切り欠き部２１５及び突片２１６はサムターンの種類やレバーハンドルの形状などにより適宜決定される任意の構成要素である。
【００２０】
次ぎに、本発明の台座構造体を図１０〜図１４を参照して説明する。図１０は本例の台座構造体の正面図、図１１は図１０の台座構造体の背面図、図１２は図１０の台座構造体の底面図、図１３は図１０のＤ-Ｄ線に沿って見た図、図１４は他の形態における台座構造体の縦断面図である。
【００２１】
本例の台座構造体３０は台座カバー１０と台座２０を組み付けたものである。すなわち、台座２０に台座カバー１０を組み付けるには、台座本体部２１の上部側の側面２６の突出部２３が、台座カバー１０の側枠１２の内側面１２１の奥側（底部）の空間３０１に入り込むように上部側のみを嵌め込み、すなわち、台座カバー１０に対して台座２０が斜めとなるように嵌め込むか、あるいは台座２０に対して台座カバー１０が斜めとなるように嵌め込み、この状態で、台座カバー１０の下方側を台座本体部２１の係合突起２４に対して指で強く押し込む。これにより、台座カバー１０と台座２０は、下部側で台座カバー１０の凹部３と台座２０の係合突起２４が強く嵌合しており、上部側では台座本体部２１の突出部２３が、台座カバー１０の上部側の側枠１２により外れる方向への動きを規制されており、両者は使用中の振動等では容易には外れない。なお、台座本体部２１の厚みと台座カバー１０の枠体の内側高さはほぼ同じであるため、台座本体部２１は、台座カバー１０に組み込まれた際、側面視では見えない。
【００２２】
なお、突出部２３は上記形態に限定されず、例えば、図１４に示すように、台座本体部２１の上部側の側面２６ｂが、奥側（図１４中、右側）に拡大するテーパー状のものであってもよい。かかる台座構造体３０ｂであっても、台座カバー１０と台座２０の上部側は台座本体部２１のテーパー状の突出部２７ｂが、台座カバー１０の上部側の側枠１２により外れる方向への動きを規制されており、台座構造体３０と同様に、両者は使用中の振動等では容易には外れない。
【００２３】
次ぎに、台座カバー１０の製造方法を図１５〜図１７を参照して説明する。図１５は、プラスチック射出成形用金型の成形後の分解図、図１６はプラスチック射出成形用金型の組み付け体の断面図、図１７は図１５の縦断面図である。台座カバー１０は、固定型板４１、固定型板４１と空隙４５を介して対向する位置にある可動型板４２及びスライドコアー４４を備えたプラスチック射出成形用金型４０から製造される。なお、本発明において、成形金型は、上記プラスチック射出成形用金型の他、金属の溶湯を鋳込む鋳型が挙げられる。
【００２４】
固定型板４１は、水平な基台（不図示）に設置されるもので、上面となる第１水平部４１１と、第１水平部４１１より低い第２水平部４１２と、第１水平部４１１と第２水平部４１２間に位置する第１傾斜面４１３と、第１傾斜面４１３に形成される凸状部４７からなるものである。凸状部４７は、台座カバー１０の枠体の内部空間をつくるもので、第１傾斜面４１３に水平な傾斜状の天部４５と、固定型板４１の第１水平部４１１（第２水平部４１２）と鉛直な側面４６を有する。また、天部４５の中央には、ハンドル軸が通ることになる貫通穴をつくる、円形状の突出部４１４が形成されている。
【００２５】
可動型板４２は、固定型板４１の上面に設置されるもので、固定型板４１の第１水平部４１１に当接する第３水平部４２１と、固定型板４１の第１傾斜面４１３に当接する第２傾斜面４２２と、スライドコアーの傾斜面４４２と当接する傾斜側面４２３と、第２傾斜面４２２にくり抜き状に形成される凹状部４９を有する。凹状部４９は、固定型板４１の傾斜状の天部４５と同じ傾斜の傾斜底面４８及び傾斜底面４８から直角に延出する第１傾斜側面４８１からなる。
【００２６】
スライドコアー４４は、固定型板４１の第２水平部４１２に当接する第４水平部４４１と、可動型板４２の傾斜側面４２３に当接する第３傾斜側面４４２と、第３傾斜側面４４２の下部に形成される、切り欠き状の凹部をつくる突部４４３を有する。
【００２７】
プラスチック射出成形用金型を組み立てると、台座カバーの形状の空隙Ｙが形成される（図１６）。また、成形後、可動型板４２は上方へ移動させることで、スライドコアー４４は、突部４４３とは反対側（図１６中、左側）へ移動させることで、金型が外され、台座カバーが得られる。固定型板４１及び可動型板４２の傾斜形状から上部側の側枠１２の内側面１２１が開口側に向けて開口が狭くなるテーパー状に形成され、台座カバー１０の下部側の側枠１３の内側面１３１が開口側に向けて開口が広くなるテーパー状に形成される。
【００２８】
本発明の台座カバー１０は、固定型板４１、可動型板４２及びスライドコアー４４の３つの主型板で製造できるため、従来、行っていた複数のスライドコアーを使用することもなく、また切削工程も不要であるため、製造コストの上昇を抑制することができる。
【００２９】
本発明の台座２０は、公知の金型を使用して製造することができる。
【００３０】
本発明の台座カバー１０及び台座２０は上記の形態に限定されず、例えば正面視で円形状のものであってもよい。円形状の台座カバーを図１８〜図２１を参照して説明する。図１８は本例の台座カバーの正面図、図１９は図１８の背面図、図２０は図１９のＥ-Ｅ線に沿って見た図、図２１は図１９のＦ-Ｆ線に沿って見た図である。台座カバー１０ａにおいて、台座カバー１０と同一構成要素には同一符号を付して、その説明を省略し、異なる点について主に説明する。台座１０ａは、金属製又はプラスチック製であって、台座に嵌合し、台座の前面及び周面を実質的に覆い隠すコ字状断面であって、中央部にハンドル軸が通るハンドル取り付け穴２ａを有する正面視が円形状の枠体構造である。すなわち、台座１０ａは円板状の天板１１ａと、天板１１ａの端から後方へ鉛直に延びる帯状筒体の側枠１４ａとからなる。
【００３１】
台座カバー１０ａは、台座カバー１０ａの上部側の側枠１２ａの内側面１２１ａが開口側Ｘに向けて開口が狭くなるテーパー状に形成され（図２０参照）、台座カバー１０ａの下部側の側枠１３ａの内側面１３１ａが開口側Ｘに向けて開口が広くなるテーパー状に形成され（図２０参照）、台座カバー１０ａの下部側の側枠１３ａに、台座の係合突起と係合する切り欠き状の凹部３が形成されてなるものである。なお、上部側の側枠１２ａの内側面１２１ａのテーパー状は、下部側の側枠１３ａに近くなるにつれ、テーパー状の傾斜が緩く、テーパーの無い鉛直状に近くなり、上部側の側枠１２ａから下部側の側枠１３ａに変わる遷移点１３２では鉛直状であり（図２１参照）、更に下部側の側枠１３ａの凹部３に近くなるにつれ、先広がり状のテーパーの傾斜が急になる（図２０参照）。また、下部側の側枠１３ａの下部は嵌合部の強度を高めるため肉厚となっている。
【００３２】
台座カバー１０ａの枠体内は、台座本体部２１ａが収容される空間である。台座カバー１０ａにおいて、切り欠き状の凹部３が形成される側枠１３ａと対向する側枠１２ａの内側面１２１ａを開口側Ｘに向けて開口が狭くなる、すなわち、側枠１２ａの開口側Ｘが内側に傾斜するテーパー状にすることで、当該側枠１２ａの内側面１２１ａが台座から台座カバー１０ａが外れる規制面となり、また、切り欠き状の凹部３に台座の突出部が強く嵌るため、上下の端部で台座カバー１０ａを固定することになり、台座から台座カバー１０ａが脱落することを防止する。
【００３３】
次ぎに、本例の台座を図２２を参照して説明する。図２２は本例の台座の正面図である。図２２において、図６と同一構成要素については同一符号を付して、その説明を省略し、異なる点について主に説明する。すなわち、台座２０ａは、金属製またはプラスチック製であって、前述の台座カバー１０ａに嵌る形状である。すなわち、台座２０ａは、円盤状の台座本体部２１ａと、台座本体部２１ａの下端から下方へ突出する係合突起２４と、台座本体部２１の上部側の側面２６で、且つ台座カバーの正面側近傍、すなわち、図２３中、上部側の側面２６ａの厚み方向の奥側に形成される突出部２３ａ（図２３参照）を有する。
【００３４】
突出部２３ａは、台座カバー１０ａの側枠１２ａ（上部側）の内側面の奥側（底部）の空間に入り込み、台座カバー１０ａが台座２０ａから外れることを防止するため、当該空間に収まる高さを有する（図２３参照）。また、突出部２３ａの長さ（ｌ）は、最大で、円周の長さの半分であってもよいが、円周の長さの１/８〜１/４程度とすることが、外れる方向に外力が作用しても、上部側の側枠１２ａの内側面と適度な摩擦力が作用し、外れ難くなる点で好ましい。また、突出部２３ａは、台座カバー１０の突出部２３と同様に、点状物が点在するものでもよく、また、台座本体部２１ａの上部側の側面２６ａが、奥側に拡大するテーパー状のものであってもよい。
【００３５】
次ぎに、本発明の台座構造体を図２３を参照して説明する。図２３は本例の台座構造体の断面図である。本例の台座構造体３０ａは台座カバー１０ａと台座２０ａを組み付けたものである。すなわち、台座２０ａに台座カバー１０ａを組み付けるには、台座本体部２１ａの上部側の側面２６の突出部２３ａが、台座カバー１０ａの側枠１２ａの内側面の奥側（底部）の空間に入り込むように上部側のみを嵌め込み、この状態で、台座カバー１０ａを台座本体部２１ａの係合突起２４に対して指で強く押し込む。これにより、台座カバー１０ａと台座２０ａは、下部側で台座カバー１０ａの凹部３ａと台座２０ａの係合突起２４が強く嵌合しており、上部側では台座本体部２１ａの突出部２３ａが、台座カバー１０ａの上部側の側枠１２ａにより外れる方向への動きを規制されており、両者は使用中の振動等では容易には外れない。
【００３６】
台座カバー１０ａの製造方法は前記台座カバー１０と同じであり、その説明を省略する。
【００３７】
本発明の台座カバー、台座及び台座構造体は、ドア用ハンドルに好適である。
【図面の簡単な説明】
【００３８】
【図１】第１の形態の台座カバーの正面図である。
【図２】図１の背面図である。
【図３】(Ａ)は図２のＡ-Ａ線に沿って見た図であり、（Ｂ）は図２のＢ-Ｂ線に沿って見た図である。
【図４】（Ａ）は図２のＣ-Ｃ線に沿って見た図であり、（Ｂ）は図１の底面図である。
【図５】第１の形態の台座の裏から見た斜視図である。
【図６】本例の台座の正面図である。
【図７】図６の台座の背面図である。
【図８】図６の台座の底面図である。
【図９】図６の台座の平面図である。
【図１０】第１の形態の台座構造体の正面図である。
【図１１】図１０の台座構造体の背面図である。
【図１２】図１０の台座構造体の底面図である。
【図１３】図１０のＤ-Ｄ線に沿って見た図である。
【図１４】他の形態における台座構造体の縦断面図である。
【図１５】成形用金型の成形後の分解図である。
【図１６】成形用金型の組み付け体を示す図である。
【図１７】図１５の側面図である。
【図１８】第２の形態の台座カバーの正面図である。
【図１９】図１７の背面図である。
【図２０】図１９のＥ-Ｅ線に沿って見た図である。
【図２１】図１９のＦ-Ｆ線に沿って見た図である。
【図２２】第２の形態の台座の正面図である。
【図２３】第２の形態の台座構造体の断面図である。
【図２４】従来の台座構造体の分解斜視図。
【図２５】台座カバーと台座の嵌め合い形態を示す図である。
【図２６】台座カバーと台座の他の嵌め合い形態を示す図である。
【符号の説明】
【００３９】
１        枠体構造
２        ハンドル取り付け穴
３        凹部
１０、１０ａ    台座カバー
１１      天板
１２      上部側の側枠
１３      下部側の側枠
１４      左右の側枠
２０、２０ａ    台座
２１、２１ａ      台座本体部
２２      四隅に斜め外側に突出する板状の突起
２４      係合突起
２５、２５５      ハンドル取り付け用の穴
２６      台座本体部上部側の側面
３０、３０ａ、３０ｂ    台座構造体
【図１】
0004953307.tif 000002
【図２】
0004953307.tif 000003
【図３】
0004953307.tif 000004
【図４】
0004953307.tif 000005
【図５】
0004953307.tif 000006
【図６】
0004953307.tif 000007
【図７】
0004953307.tif 000008
【図８】
0004953307.tif 000009
【図９】
0004953307.tif 000010
【図１０】
0004953307.tif 000011
【図１１】
0004953307.tif 000012
【図１２】
0004953307.tif 000013
【図１３】
0004953307.tif 000014
【図１４】
0004953307.tif 000015
【図１５】
0004953307.tif 000016
【図１６】
0004953307.tif 000017
【図１７】
0004953307.tif 000018
【図１８】
0004953307.tif 000019
【図１９】
0004953307.tif 000020
【図２０】
0004953307.tif 000021
【図２１】
0004953307.tif 000022
【図２２】
0004953307.tif 000023
【図２３】
0004953307.tif 000024
【図２４】
0004953307.tif 000025
【図２５】
0004953307.tif 000026
【図２６】
0004953307.tif 000027